(57)【要約】【課題】端末装置でのデジタルテレビ放送受信に際して消費電力を更に低減する。【解決手段】デジタルテレビ放送受信部１−１は、デジタルテレビ放送を受信する。ＡＡＣデコーダ１−２−１、ＳＢＲデコーダ１−２−２は、受信されたデジタルテレビ放送の音声データをデコードする。ＣＰＵ１−１０は、デジタルテレビ放送の受信中、デコードされた音声データに対して周波数解析を行い、高周波成分の含有率が所定の閾値以上であるか否かを判断し、デコードされた音声データの高周波成分の含有率が閾値より小さい場合には、ＳＢＲデコーダ１−２−２の動作を停止する。上記処理は、デジタルテレビ放送の受信中に、繰り返し実行される。【選択図】図１
2008236208.tif 000002
【特許請求の範囲】
【請求項１】
デジタルテレビ放送データを受信する端末装置において、
デジタルテレビ放送データを受信する受信手段と、
前記受信手段により受信される放送データを再生するための複数のデータ処理手段と、
前記複数のデータ処理手段により処理された放送データの内容を解析する解析手段と、
前記解析手段による解析結果に基づいて、前記複数のデータ処理手段のうち、動作停止可能なデータ処理手段を選択するための条件を判定する判定手段と、
前記判定手段による判定結果に基づいて、前記複数のデータ処理手段の動作を制御する制御手段と
を具備することを特徴とする端末装置。
【請求項２】
前記受信手段は、放送データとして、少なくとも第１の周波数帯域と第２の周波数帯域とに分離され多重化された音声データを受信し、
前記複数のデータ処理手段は、前記第１の周波数帯域のデコード処理を行う第１処理手段と、前記第２の周波数帯域のデコード処理を行う第２処理手段とからなることを特徴とする請求項１記載の端末装置。
【請求項３】
前記解析手段は、前記第１処理手段と前記第２処理手段とにより処理された音声データの周波数解析を行い、
前記判定手段は、前記解析手段による周波数解析の結果に基づいて、前記音声データに所定の閾値以上の高周波成分が含まれるか否かを判定し、
前記制御手段は、前記判定手段による判定結果に基づいて、前記第１処理手段と前記第２処理手段との動作を制御することを特徴とする請求項２記載の端末装置。
【請求項４】
前記第１処理手段は、ＭＰＥＧ規格に準ずるオーディオデータの符号化方式であるＨＥ−ＡＡＣのデコーダであり、
前記第２処理手段は、ＡＡＣの高周波成分を補う拡張規格であるＳＢＲのデコーダであることを特徴とする請求項３記載の端末装置。
【請求項５】
前記解析手段は、前記第１処理手段と第２処理手段とにより処理された音声データに対して音楽認識を行い、
前記判定手段は、前記解析手段による音楽認識の結果に基づいて、前記音声データが音楽データであるか否かを判定し、
前記制御手段は、前記判定手段による判定結果に基づいて、前記第１処理手段と前記第２処理手段との動作を制御することを特徴とする請求項２記載の端末装置。
【請求項６】
前記第１処理手段は、ＭＰＥＧ規格に準ずるオーディオデータの符号化方式であるＨＥ−ＡＡＣのデコーダであり、
前記第２処理手段は、ＡＡＣの高周波成分を補う拡張規格であるＳＢＲのデコーダであることを特徴とする請求項５記載の端末装置。
【請求項７】
前記受信手段は、前記放送データとして、少なくとも映像データを受信し、
前記複数の処理手段は、前記映像データの高画質化処理を行う手段であって、
前記解析手段は、前記映像データの色数、動きの変化の速さ、あるいは輝度のヒストグラムを解析し、
前記判定手段は、前記解析手段による解析結果に基づいて、該解析結果が所定の閾値以上の高画質化に有効な数値であるか否かを判定し、
前記制御手段は、前記判定手段による判定結果に基づいて、前記複数の高画質化処理手段の動作を制御することを特徴とする請求項１記載の端末装置。
【請求項８】
前記受信手段によるデジタルテレビ放送データ受信中に、前記解析手段による解析、前記判定手段による判定、及び前記制御手段による制御を、所定の時間間隔で繰り返し動作させる繰り返し制御手段を具備することを特徴とする請求項１記載の端末装置。
【請求項９】
デジタルテレビ放送データを受信する端末装置を制御するコンピュータに、
デジタルテレビ放送データを受信する受信機能、
前記受信機能により受信される放送データを再生するための複数のデータ処理機能、
前記複数のデータ処理機能により処理された放送データの内容を解析する解析機能、
前記解機能による解析結果に基づいて、前記複数のデータ処理機能のうち、動作停止可能なデータ処理機能を選択するための条件を判定する判定機能、
前記判定機能による判定結果に基づいて、前記複数のデータ処理機能の動作を制御する制御機能
を実行させることを特徴とするプログラム。
【発明の詳細な説明】
【技術分野】
【０００１】
本発明は、デジタルテレビ放送データを受信する端末装置及びプログラムに関する。
【背景技術】
【０００２】
近年、デジタルテレビのワンセグ放送が開始され、携帯電話にワンセグ受信機能が搭載されるようになってきている。携帯電話においては、デジタルテレビ放送受信のための処理の電力消費が多いため、省電力化が求められている。例えば、高音質再生を可能としたバッテリ駆動の携帯装置において、互いに異なる第１及び第２の周波数帯域に分離され多重化された音声データを再生する際に、使用者の利用状況や、出力手段、バッテリの電力残量などに応じて、音声デコード方式を選択することにより、消費電力を低減させる技術が提案されている（例えば、特許文献１参照）。
【０００３】
【特許文献１】特開２００６−３３３２３８号公報
【発明の開示】
【発明が解決しようとする課題】
【０００４】
ところで、テレビ放送の中には、必ずしも、高音質再生や、高画質再生が必要でない、あるいは効果的でないものもある。しかしながら、上述した従来技術（特許文献１）では、高音質再生が効果的でないようなテレビ放送であっても、高音質再生を実現する音声デコーダを動作させてしまう場合があり、十分な省電力化が得られないという問題がある。
【０００５】
そこで本発明は、デジタルテレビ放送受信に際して消費電力を更に低減することができる端末装置及びプログラムを提供することを目的とする。
【課題を解決するための手段】
【０００６】
上記目的達成のため、請求項１、９記載の発明は、デジタルテレビ放送データを受信する端末装置において、デジタルテレビ放送データを受信する受信手段と、前記受信手段により受信される放送データを再生するための複数のデータ処理手段と、前記複数のデータ処理手段により処理された放送データの内容を解析する解析手段と、前記解析手段による解析結果に基づいて、前記複数のデータ処理手段のうち、動作停止可能なデータ処理手段を選択するための条件を判定する判定手段と、前記判定手段による判定結果に基づいて、前記複数のデータ処理手段の動作を制御する制御手段とを具備することを特徴とする。
【０００７】
また、好ましい態様として、例えば請求項２記載のように、請求項１記載の端末装置において、前記受信手段は、放送データとして、少なくとも第１の周波数帯域と第２の周波数帯域とに分離され多重化された音声データを受信し、前記複数のデータ処理手段は、前記第１の周波数帯域のデコード処理を行う第１処理手段と、前記第２の周波数帯域のデコード処理を行う第２処理手段とからなるようにしてもよい。
【０００８】
また、好ましい態様として、例えば請求項３記載のように、請求項２記載の端末装置において、前記解析手段は、前記第１処理手段と前記第２処理手段とにより処理された音声データの周波数解析を行い、前記判定手段は、前記解析手段による周波数解析の結果に基づいて、前記音声データに所定の閾値以上の高周波成分が含まれるか否かを判定し、前記制御手段は、前記判定手段による判定結果に基づいて、前記第１処理手段と前記第２処理手段との動作を制御するようにしてもよい。
【０００９】
また、好ましい態様として、例えば請求項４記載のように、請求項３記載の端末装置において、前記第１処理手段は、ＭＰＥＧ規格に準ずるオーディオデータの符号化方式であるＨＥ−ＡＡＣのデコーダであり、前記第２処理手段は、ＡＡＣの高周波成分を補う拡張規格であるＳＢＲのデコーダであってもよい。
【００１０】
また、好ましい態様として、例えば請求項５記載のように、請求項２記載の端末装置において、前記解析手段は、前記第１処理手段と第２処理手段とにより処理された音声データに対して音楽認識を行い、前記判定手段は、前記解析手段による音楽認識の結果に基づいて、前記音声データが音楽データであるか否かを判定し、前記制御手段は、前記判定手段による判定結果に基づいて、前記第１処理手段と前記第２処理手段との動作を制御するようにしてもよい。
【００１１】
また、好ましい態様として、例えば請求項６記載のように、請求項５記載の端末装置において、前記第１処理手段は、ＭＰＥＧ規格に準ずるオーディオデータの符号化方式であるＨＥ−ＡＡＣのデコーダであり、前記第２処理手段は、ＡＡＣの高周波成分を補う拡張規格であるＳＢＲのデコーダであってもよい。
【００１２】
また、好ましい態様として、例えば請求項７記載のように、請求項１記載の端末装置において、前記受信手段は、前記放送データとして、少なくとも映像データを受信し、前記複数の処理手段は、前記映像データの高画質化処理を行う手段であって、前記解析手段は、前記映像データの色数、動きの変化の速さ、あるいは輝度のヒストグラムを解析し、前記判定手段は、前記解析手段による解析結果に基づいて、該解析結果が所定の閾値以上の高画質化に有効な数値であるか否かを判定し、前記制御手段は、前記判定手段による判定結果に基づいて、前記複数の高画質化処理手段の動作を制御するようにしてもよい。
【００１３】
また、好ましい態様として、例えば請求項８記載のように、請求項１記載の端末装置において、前記受信手段によるデジタルテレビ放送データ受信中に、前記解析手段による解析、前記判定手段による判定、及び前記制御手段による制御を、所定の時間間隔で繰り返し動作させる繰り返し制御手段を具備するようにしてもよい。
【発明の効果】
【００１４】
本発明によれば、デジタルテレビ放送受信に際して消費電力を更に低減することができるという利点が得られる。
【発明を実施するための最良の形態】
【００１５】
以下、本発明の実施の形態を、図面を参照して説明する。
【００１６】
Ａ．第１実施形態
Ａ−１．第１実施形態の構成
図１は、本発明の第１実施形態による携帯電話の構成を示すブロック図である。図において、図において、携帯電話１は、デジタルテレビ放送受信部１−１、音声処理部１−２、映像処理部１−３、音声通話通信部１−４、操作部１−５、表示部１−６、電話部１−７、音声再生部１−８、記憶部１−９、ＣＰＵ１−１０及び電源部１−１１からなる。
【００１７】
デジタルテレビ放送受信部１−１は、放送局から放送される地上波デジタル放送の放送信号を受信する。ところで、地上デジタル放送では、音声圧縮技術の１つとしてＡＡＣ（Advanced Audio Coding）を採用している。さらに、ＡＡＣを拡張して音質を大きく改善する技術として、ＳＢＲ（Spectral Band
Replication：スペクトル帯域複製）という技術が取り入れられており、このようなＡＡＣは、「ＨＥ（High Efficiency）−ＡＡＣ」と呼ばれる。
【００１８】
ＳＢＲ技術は、高い周波数成分の音声が低い周波数成分と強い相関関係にあることを利用しており、まず、高い周波数成分（第２の周波数帯域）の情報を抜き出してＳＢＲ部分の情報として圧縮し、低い周波数成分（第１の周波数帯域）のエンコード結果であるＡＡＣデータに多重化して格納するようになっている。逆に、ＨＥ−ＡＡＣをデコードする場合には、まず、低い周波数成分（第１の周波数帯域）のＡＡＣデータをデコードし、その結果に高い周波数成分（第２の周波数帯域）のデータを合成するようになっている。言い換えると、音質は劣るもののＡＡＣデータだけを再生することも可能であるし、高音質再生を実現すべくＡＡＣデータとＳＢＲデータとを再生することも可能である。
【００１９】
音声処理部１−２は、受信したテレビ放送の音声信号に対する音声処理を行うべく、ＡＡＣデコーダ１−２−１及びＳＢＲデコーダ１−２−２を備えている。ＡＡＣデコーダ１−２−１は、上述した第１の周波数帯域の復号、すなわち音声信号をＡＡＣ形式で復号する。ＳＢＲデコーダ１−２−２は、ＡＡＣデコーダ１−２１の出力データに対して第２の周波数帯域の復号、すなわちＳＢＲ形式で復号する。
【００２０】
映像処理部１−３は、受信したテレビ放送の映像信号に対する映像処理を行うべく、スケーリング処理部１−３−１、Ｉ／Ｐ変換処理部１−３−２、コントラスト自動処理部１−３−３及び輪郭補正処理部１−３−４を備えている。スケーリング処理部１−３−１は、表示部１−６の解像度に合わせて映像をスケーリングする。Ｉ／Ｐ変換処理部１−３−２は、復号された映像信号がインターレース信号の場合に、該映像信号を順次走査処理してプログレッシブ信号に変換する。コントラスト自動処理部１−３−３は、映像信号のコントラストを自動調整する。輪郭補正処理部１−３−４は、コントラストが調整された映像信号に対しエンハンサ処理（輪郭補正）を行う。
【００２１】
音声通話通信部１−４は、基地局を介して通信網に接続して他の携帯電話との間で音声通話を行う。操作部１−５は、電話番号や、パスワード等の各種データ、各種メニューの呼び出し・選択・発信などの動作指示などを入力する。表示部１−６は、例えば、ＬＣＤ（Liquid Crystal
Display）や有機ＥＬ（Electro Luminescence）等で構成され、電波強度や電池残量などの端末状態、メール文書、発信時における相手先リストや、発信相手の電話番号、テレビ放送の映像などを表示する。
【００２２】
電話部１−７は、音声通話において、マイク１−７−２からの音声を取り込み、デジタル信号に変換してＣＰＵ１−１０に供給する一方、音声信号をアナログ信号に変換してスピーカ１−７−１から出力する。音声再生部１−８は、音声処理部１−２でデコードされたテレビ放送の音声データをアナログ信号に変換し、スピーカ１−８−１から出力する。記憶部１−９は、所定のプログラムや、各種パラメータなどを記憶するとともに（ＲＯＭ）、ＣＰＵ１−１０の作業用エリアとして用いられる（ＲＡＭ）。
【００２３】
ＣＰＵ１−１０は、所定のプログラムに従って各部を制御する。特に、本第１実施形態では、ＣＰＵ１−１０は、一旦、音声処理部１−２によりデコードされた音声データを周波数解析し、該周波数解析により高周波成分が一定以上含まれていると判定される場合には、ＳＢＲデコードの効果があると判断し、ＳＢＲデコーダ１−２−２を有効とし、高周波成分が一定以上含まれない場合には、ＳＢＲデコーダ１−２−２を無効とする。電源部１−１１は、充電可能な二次電池からなり、上述した各部へ動作用の電力を供給する。
【００２４】
Ｂ．第１実施形態の動作
次に、上述した第１実施形態の動作について説明する。ここで、図２は、本第１実施形態による携帯電話１の動作を説明するためのフローチャートである。まず、電源が投入されると、各種初期設定を行った後、待ち受け画面を表示する（ステップＳ１０）。次に、待ち受け画面において、デジタルテレビ受信開始操作があったか否かを判断し（ステップＳ１２）、受信開始操作がなかった場合には、その他の操作があったか否かを判断し（ステップＳ１４）、その他の操作があった場合には、操作に応じた処理を実行し（ステップＳ１６）、ステップＳ１０の待ち受け画面に戻る。一方、その他の操作もなかった場合には、何もせず、ステップＳ１０の待ち受け画面に戻る。
【００２５】
一方、待ち受け画面において、デジタルテレビ受信開始操作があった場合には、デジタルテレビ放送受信部１−１によるデジタルテレビ放送の受信を開始する（ステップＳ１８）。次に、ＡＡＣデコーダ１−２−１、ＳＢＲデコーダ１−２−２をオンとし（ステップＳ２０）、ＡＡＣデコーダ１−２−１及びＳＢＲデコーダ１−２−２による音声データのデコードを開始する（ステップＳ２２）。
【００２６】
次に、デコードした音声データに対する周波数解析を開始し（ステップＳ２４）、高周波成分の含有率が所定の閾値以上であるか否かを判断する（ステップＳ２６）。そして、周波数解析の結果、ＡＡＣデコーダ１−２−１及びＳＢＲデコーダ１−２−２によりデコードした音声データの高周波成分の含有率が閾値より小さい場合には、ＳＢＲデコーダ１−２−２をオフとし（ステップＳ２８）、該ＳＢＲデコードを停止する（ステップＳ３０）。
【００２７】
一方、高周波成分の含有率が閾値以上である場合、あるいは、上述したように、高周波成分の含有率が閾値より小さく、ＳＢＲデコードを停止した場合のいずれにおいても、判定時間計測タイマのカウントをスタートし（ステップＳ３２）、設定時間経過したか否かを判断する（ステップＳ３４）。そして、設定時間経過した場合には、ステップＳ２０に戻り、ＡＡＣデコーダ１−２−１及びＳＢＲデコーダ１−２−２による音声データのデコード、周波数解析を繰り返す。
【００２８】
このように、高周波成分の含有率が閾値より小さい場合には、ＳＢＲの効果がないと判断し、ＳＢＲデコーダ１−２−２をオフとすることで、音声データに関する処理の消費電力を低減する。また、高周波成分の含有率が所定の閾値以上である場合には、ＳＢＲによる効果があると判断し、ＡＡＣデコーダ１−２−１及びＳＢＲデコーダ１−２−２によるデコードを継続する。
【００２９】
一方、設定時間内である場合には、番組の切り替え操作があったか否かを判断し（ステップＳ３６）、番組の切り替え操作があった場合には、切り替え操作に応じて、番組（チャンネル）を切り替える切り替え処理を実行し（ステップＳ３８）、ステップＳ２０に戻り、ＡＡＣデコーダ１−２−１及びＳＢＲデコーダ１−２−２による音声データのデコード、周波数解析を繰り返す。
【００３０】
一方、番組の切り替え操作がなかった場合には、デジタルテレビ受信終了操作があったか否かを判断し（ステップＳ４０）、デジタルテレビ受信終了操作があった場合には、デジタルテレビ放送受信部１−１によるデジタルテレビ放送の受信を終了する処理を実行し（ステップＳ４２）、ＡＡＣデコーダ１−２−１及びＳＢＲデコーダ１−２−２をオフとし（ステップＳ４４）、ステップＳ１０の待ち受け画面に戻る。
【００３１】
また、デジタルテレビ受信終了操作がなかった場合には、その他の操作があったか否かを判断し（ステップＳ４６）、その他の操作があった場合には、操作に応じた処理を実行し（ステップＳ４８）、ステップＳ３４に戻る。一方、その他の操作もなかった場合には、何もせず、ステップＳ３４に戻る。
【００３２】
上述した第１実施形態によれば、受信したデジタルテレビ放送データの内容を解析し、デジタルテレビ放送の再生に必ずしも必要としない処理部の動作を選択的に停止させることで、消費電力を低減することができる。すなわち、ＡＡＣデコード及びＳＢＲデコードした音声データの周波数解析を行い、高周波成分が予め定められた閾値以上であるか否かを判定により、高音質再生が必要か否かを判断し、高音質再生が不要であると判断された場合には、高音質再生に係るＳＢＲデコーダ１−２−２をオフとすることで、消費電力を低減することができる。
【００３３】
また、本第１実施形態によれば、予め定められた判定時間毎に、周波数解析、解析結果に基づく判定、処理部の動作制御を行うことで、受信中に放送内容が変化した場合でも、放送内容に応じて適切に処理部の動作を制御することができる。
【００３４】
Ｂ．第２実施形態
次に、本発明の第２実施形態について説明する。本第２実施形態では、ＡＡＣデコード及びＳＢＲデコードによる音声データの周波数解析に代えて、ＡＡＣデコード及びＳＢＲデコードによる音声データを音楽認識し、音声データが高音質再生を必要とする音楽データであるか否かを判定し、高音質再生が不要であると判断された場合には、高音質再生に係るＳＢＲデコーダ１−２−２の動作を停止させることを特徴としている。
【００３５】
なお、音楽認識の技術としては、周知の技術を用い、予め様々な音楽データから特徴的部分を抜き出してデータベース化しておき、比較対象となる音声データの特徴的部分が上記データベースに登録されている特徴的部分と合致した場合に、該音声データが音楽データであると判定する。また、携帯電話１の構成については、上述した第１実施形態と同様であるので説明を省略する。
【００３６】
Ｂ−１．第２実施形態の動作
次に、本第２実施形態の動作について説明する。ここで、図３は、本第２実施形態による携帯電話１の動作を説明するためのフローチャートである。なお、図３において、ステップＳ５０〜Ｓ６２は、前述した第１実施形態の図２に示すステップＳ１０〜Ｓ２２に対応し、ステップＳ６８〜Ｓ８８は、図２に示すステップＳ２８〜Ｓ４８に対応するので説明を簡略化、あるいは省略する。
【００３７】
まず、電源が投入されると、待ち受け画面を表示し、デジタルテレビ受信開始操作がなかった場合には、その他の操作に応じた処理を実行する（ステップＳ５０〜Ｓ５６）。一方、デジタルテレビ受信開始操作があった場合には、デジタルテレビ放送受信部１−１によるデジタルテレビ放送の受信を開始し、ＡＡＣデコーダ１−２−１及びＳＢＲデコーダ１−２−２による音声データのデコードを開始する（ステップＳ５８〜Ｓ６２）。
【００３８】
次に、ＣＰＵ１−１０により、ＡＡＣデコーダ１−２−１及びＳＢＲデコーダ１−２−２によりデコードした音声データに対して音楽認識を開始し（ステップＳ６４）、音声データが音楽データであるか否かを判断する（ステップＳ６６）。そして、音楽認識の結果、ＡＡＣデコーダ１−２−１及びＳＢＲデコーダ１−２−２によりデコードした音声データが音楽データでないと判断された場合には、ＳＢＲデコーダ１−２−２をオフとし（ステップＳ６８）、該ＳＢＲデコードを停止する（ステップＳ７０）。
【００３９】
一方、音声データが音楽データである場合、あるいは、上述したように、音声データが音楽データであり、ＳＢＲデコードを停止した場合のいずれにおいても、ステップＳ７２以降へ進み、前述した第１実施形態の図２に示すステップＳ３２〜Ｓ４８と同様の処理を実行する。
【００４０】
このように、音声データが音楽データでない場合には、ＳＢＲの効果がないと判断し、ＳＢＲデコーダ１−２−２をオフとすることで、音声データに関する処理の消費電力を低減する。また、音声データが音楽データである場合には、ＳＢＲによる効果があると判断し、ＡＡＣデコーダ１−２−１及びＳＢＲデコーダ１−２−２によるデコードを継続する。
【００４１】
上述した第２実施形態によれば、ＡＡＣデコード及びＳＢＲデコードした音声データの音楽認識を行い、音声データが音楽データである否かを判定し、音楽データでないと判定された場合、すなわち、高音質再生が必ずしも必要でないと判断された場合には、高音質再生に係るＳＢＲデコーダ１−２−２をオフとすることで、消費電力を低減することができる。
【００４２】
また、本第２実施形態によれば、予め定められた判定時間毎に、音楽認識、音声認識結果に基づく判定、処理部の動作制御を行うことで、受信中に放送内容が変化した場合でも、放送内容に応じて適切に処理部の動作を制御することができる。
【００４３】
Ｃ．第３実施形態
次に、本発明の第３実施形態について説明する。
本第２実施形態では、ＡＡＣデコード及びＳＢＲデコードによる音声データの周波数解析、あるいは音楽認識に代えて、受信したデジタルテレビ放送の映像データに対して、色数、動きの変化の速さ、輝度のヒストグラム等を解析し、該解析結果に従って高画質再生が必要であるか否かを判定し、高画質再生が不要である場合には、スケーリング処理、Ｉ／Ｐ変換処理、コントラスト自動処理、輪郭補正処理等の処理部の動作を停止させることを特徴としている。なお、携帯電話１の構成については、上述した第１実施形態と同様であるので説明を省略する。
【００４４】
Ｃ−１．第３実施形態の動作
次に、本第３実施形態の動作について説明する。ここで、図４及び図５は、本第３実施形態による携帯電話１の動作を説明するためのフローチャートである。なお、図４及び図５において、ステップＳ９０〜Ｓ９８は、前述した第１実施形態の図２に示すステップＳ１０〜Ｓ１８に対応し、ステップＳ１１６〜Ｓ１２８は、図２に示すステップＳ３２〜Ｓ４８に対応するので説明を簡略化、あるいは省略する。
【００４５】
まず、電源が投入されると、待ち受け画面を表示し、デジタルテレビ受信開始操作がなかった場合には、その他の操作に応じた処理を実行する（ステップＳ９０〜Ｓ９６）。一方、デジタルテレビ受信開始操作があった場合には、デジタルテレビ放送受信部１−１によるデジタルテレビ放送の受信を開始する（ステップＳ９８）。
【００４６】
次に、映像処理部１−３のスケーリング処理部１−３−１、Ｉ／Ｐ変換処理部１−３−２、コントラスト自動処理部１−３−３及び輪郭補正処理部１−３−４をオンとし（ステップＳ１００）、デジタルテレビ放送の映像データに対して、映像補正処理を開始する（ステップＳ１０２）。次に、ＣＰＵ１−１０により、映像データの色数の解析を開始し（ステップＳ１０４）、動きの変化の速さを判定するための動き解析を開始し（ステップＳ１０６）、輝度のヒストグラムの解析を開始し（ステップＳ１０８）、各解析値が所定の閾値以上であるか否かを判断する（ステップＳ１１０）。
【００４７】
そして、各解析の結果、いずれかの解析値が所定の閾値以上でないと判断された場合には、該当処理部による高画質再生が不要であると判断し、該当処理部をオフとし（ステップＳ１１２）、該当処理部を停止する（ステップＳ１１４）。
【００４８】
一方、いずれかの解析値も所定の閾値以上である場合、あるいは、上述したように、高画質再生が不要であり、該当処理部を停止した場合のいずれにおいても、ステップＳ１１６以降へ進み、述した第１実施形態の図２に示すステップＳ３２〜Ｓ４８と同様の処理を実行する。なお、本第３実施形態では、ステップＳ１２４で、デジタルテレビ受信終了操作があったと判断された場合には、ステップＳ１２８で、映像処理部１−３のスケーリング処理部１−３−１、Ｉ／Ｐ変換処理部１−３−２、コントラスト自動処理部１−３−３及び輪郭補正処理部１−３−４をオフとする。
【００４９】
このように、映像データを解析した結果、高画質再生が不要であると判断した場合、映像処理部１−３のスケーリング処理部１−３−１、Ｉ／Ｐ変換処理部１−３−２、コントラスト自動処理部１−３−３及び輪郭補正処理部１−３−４のうち、該当処理部をオフとすることで、映像データに関する処理の消費電力を低減する。また、高画質再生が必要であると判断した場合には、映像処理部１−３の各処理部による効果があると判断し、映像処理部１−３のスケーリング処理部１−３−１、Ｉ／Ｐ変換処理部１−３−２、コントラスト自動処理部１−３−３及び輪郭補正処理部１−３−４による映像処理を継続する。
【００５０】
上述した第３実施形態によれば、映像データに対して、色数、動きの変化の速さ、輝度のヒストグラム等を解析し、該解析結果に従って高画質再生が必要であるか否かを判定することにより、高画質再生が必ずしも必要でないと判断された場合、スケーリング処理部１−３−１、Ｉ／Ｐ変換処理部１−３−２、コントラスト自動処理部１−３−３、輪郭補正処理部１−３−４のうち、該当処理部の動作を停止させることで、消費電力を低減することができる。
【００５１】
また、本第３実施形態によれば、予め定められた判定時間毎に、周波数解析、解析結果に基づく判定、処理部の動作制御を行うことで、受信中に放送内容が変化した場合でも、放送内容に応じて適切に処理部の動作を制御することができる。
【００５２】
なお、上述した第１乃至第３実施形態では、それぞれで音声処理、映像処理について個別に該当処理部の動作を制御したが、これに限らず、周波数解析、音楽認識及び映像解析（色数、動き、ヒストグラム）を組み合わせて用いてもよい。
【図面の簡単な説明】
【００５３】
【図１】本発明の第１実施形態による携帯電話の構成を示すブロック図である。
【図２】本第１実施形態による携帯電話１の動作を説明するためのフローチャートである。
【図３】本発明の第２実施形態による携帯電話１の動作を説明するためのフローチャートである。
【図４】本発明の第３実施形態による携帯電話１の動作を説明するためのフローチャートである。
【図５】本第３実施形態による携帯電話１の動作を説明するためのフローチャートである。
【符号の説明】
【００５４】
１  携帯電話
１−１  デジタルテレビ放送受信部
１−２  音声処理部
１−２−１  ＡＡＣデコーダ
１−２−２  ＳＢＲデコーダ
１−３  映像処理部
１−３−１  スケーリング処理部
１−３−２  Ｉ／Ｐ変換処理部
１−３−３  コントラスト自動処理部
１−３−４  輪郭補正処理部
１−４  音声通話通信部
１−５  操作部
１−６  表示部
１−７  電話部
１−８  音声再生部
１−９  記憶部
１−１０  ＣＰＵ
１−１１  電源部
【図１】
2008236208.tif 000003
【図２】
2008236208.tif 000004
【図３】
2008236208.tif 000005
【図４】
2008236208.tif 000006
【図５】
2008236208.tif 000007